(57)【特許請求の範囲】
【請求項１】
飛来物の侵入を防ぎ、防曇効果を発揮し、
通気孔の存在によりゴーグルレンズに割れや切れが発生しない一重レンズゴーグルであって、
前記一重レンズゴーグルは、ゴーグル枠と、前記ゴーグル枠の内周部に形成された溝に着脱自在に嵌め込まれるシングルレンズとを具備しており、
ゴーグル枠は、レンズ嵌込縁を有し、
このレンズ嵌込縁には、シングルレンズの外周縁が嵌まり込む溝を設けてあり、
前記シングルレンズに通気孔を形成すると共に、
前記通気孔を覆う態様で被覆部材をシングルレンズの表面に着脱自在に取り付けてあり、
被覆部材は、パーツ本体と、このパーツ本体の凸側の外縁部分に形成したフランジ部とからなり、
パーツ本体には、孔を形成し、フィルタが設けられてあり、
前記フィルタは、被覆部材におけるシングルレンズとの対向面側に設けてあり、
前記通気孔と前記孔は前記取り付け状態において対応する位置であり、
前記フランジ部がシングルレンズと共に溝に嵌め込まれている
ことを特徴とする一重レンズゴーグル。
【請求項２】
通気孔はシングルレンズの左右両サイドに形成されていることを特徴とする請求項１記載の一重レンズゴーグル。
【請求項３】
被覆部材は、正面視略三日月形状に形成されていることを特徴とする請求項２記載のゴーグル。
【請求項４】
被覆部材がシングルレンズに対して位置ズレしないように、位置ズレ防止手段を具備させてあることを特徴とする請求項１乃至３のいずれかに記載の一重レンズゴーグル。
【請求項５】
位置ズレ防止手段は、被覆部材側の突起をシングルレンズ側の開口に嵌入する構造のものとしてあることを特徴とする請求項４に記載の一重レンズゴーグル。
【請求項６】
通気孔と孔との開口面積は、同一としてあることを特徴とする請求項１記載の一重レンズゴーグル。
【発明の詳細な説明】
【０００１】
【発明の属する技術分野】
この発明は、シングルレンズのゴーグル、特にスキーやスノーボード等をするときに使用するゴーグルに関するものである。
【０００２】
【従来の技術】
この種のゴーグルには、スキーヤーの体温、発汗作用等によるゴーグルレンズ内面の曇りを防止すべくベンチレーション部を設けてあるが、今日のスキー競技等における運動量は一段と上がっていることから更に厳しい防曇効果が要求されるようになってきている。
【０００３】
このような要求に応えるため、近年ではゴーグルレンズに空気を取り入れるための通気孔を形成したものが見受けられるようになってきた。
【０００４】
しかしながら、ゴーグルレンズに通気孔を設けたゴーグルでは、以下に示すような問題がある。
〔１〕ゴーグルレンズに複数の小さな通気孔を設けた場合この場合、雪、ゴミ、塵等の飛来物が詰まって防曇効果を発揮しなくなる。
〔２〕ゴーグルレンズに大きな通気孔を設けた場合
１．通気孔から雪、ゴミ、塵等の飛来物が侵入するのを阻止するため例えば通気孔をスポンジ板等のフィルターで覆わなければならないが、ゴーグルレンズにフィルタを一体成形するのは技術的・コスト的に困難であり、また、製品としての見栄えが良くない。
【０００５】
２．ゴーグルレンズが所謂シングルレンズ（一重レンズを意味し、レンズが左右に分かれているものも含む）である場合、通気孔を形成した周囲の強度が低下して割れや切れが発生しやすい。
【０００６】
したがって、この種のゴーグルを製造・販売する業界では、（１）雪、ゴミ、塵等の飛来物の侵入を防ぎ、（２）防曇効果を確実に発揮し、（３）通気孔の存在によりゴーグルレンズに割れや切れが発生したり、見栄えが低下するようなことがないゴーグルを開発することに取り組んでいる。
【０００７】
【発明が解決しようとする課題】
そこで、この発明では、（１）雪、ゴミ、塵等の飛来物の侵入を防ぎ、（２）防曇効果を確実に発揮し、（３）通気孔の存在によりゴーグルレンズに割れや切れが発生したり、見栄えが低下するようなことがないゴーグルを提供することを課題する。
【０００８】
【課題を解決するための手段】
（請求項１記載の発明）
この発明は、飛来物の侵入を防ぎ、防曇効果を発揮し、通気孔の存在によりゴーグルレンズに割れや切れが発生しない一重レンズゴーグルであって、前記一重レンズゴーグルは、ゴーグル枠と、前記ゴーグル枠の内周部に形成された溝に着脱自在に嵌め込まれるシングルレンズとを具備しており、ゴーグル枠は、レンズ嵌込縁を有し、このレンズ嵌込縁には、シングルレンズの外周縁が嵌まり込む溝を設けてあり、前記シングルレンズに通気孔を形成すると共に、前記通気孔を覆う態様で被覆部材をシングルレンズの表面に着脱自在に取り付けてあり、被覆部材は、パーツ本体と、このパーツ本体の凸側の外縁部分に形成したフランジ部とからなり、パーツ本体には、孔を形成し、フィルタが設けられてあり、前記フィルタは、被覆部材におけるシングルレンズとの対向面側に設けてあり、前記通気孔と前記孔は前記取り付け状態において対応する位置であり、前記フランジ部がシングルレンズと共に溝に嵌め込まれていることを特徴とする。
（請求項２記載の発明）
この発明のゴーグルは、上記請求項１記載の発明に関し、通気孔はシングルレンズの左右両サイドに形成されていることを特徴とする。
（請求項３記載の発明）
この発明のゴーグルは、上記請求項２記載の発明に関し、被覆部材が、正面視略三日月形状に形成されていることを特徴とする。
（請求項４記載の発明）
この発明のゴーグルは、上記請求項１乃至３のいずれかに記載の発明に関し、被覆部材がシングルレンズに対して位置ズレしないように、位置ズレ防止手段を具備させてあることを特徴とする。
（請求項５記載の発明）
この発明のゴーグルは、上記請求項４に記載の発明に関し、位置ズレ防止手段は、被覆部材側の突起をシングルレンズ側の開口に嵌入する構造のものとしてあることを特徴とする。
（請求項６記載の発明）
この発明のゴーグルは、上記請求項１記載の発明に関し、通気孔と孔との開口面積は、同一としてあることを特徴とする。
【０００９】
なお、上記した発明のゴーグルの機能については以下の発明の実施の形態の欄で説明する。
【００１０】
【発明の実施の形態】
以下、この発明を実施形態として示した図面に従って説明する。
（実施形態１）
図１はスキー用のゴーグルＧの斜視図である、図２は前記ゴーグルＧのゴーグル枠１の上面図である。
【００１１】
このゴーグルＧは、図１や図２に示すように、ゴーグル枠１と、前記ゴーグル枠１に連結された伸縮弾性バンド２と、ゴーグル枠１に着脱自在に嵌着されたシングルレンズ３と、被覆部材４とを具備している。
【００１２】
以下に、このゴーグルＧの各構成について詳述する。
〔ゴーグル枠１について〕
ゴーグル枠１は弾性合成樹脂、ゴム等の軟質材から成り、図１や図４に示すように、レンズ嵌込縁1aと、顔面当座1bと、前記レンズ嵌込縁1aと顔面当座1bとを連絡する周壁部1cとから成り、レンズ嵌込縁1aにはシングルレンズ３が着脱自在に嵌め込まれている。
【００１３】
レンズ嵌込縁1aは、図４に示すように、シングルレンズ３の外周縁が嵌まり込む溝10を設けてある。
【００１４】
顔面当座1bには、図２や図６に示すように、その左右部分に伸縮弾性ゴムバンド２を連結するための連結部15が穿孔されており、また、顔面との密接を良好なものとするためのスポンジ、モントプレーン等の密接用材11が貼着されている。
【００１５】
周壁部1cには、図１〜図３に示すように、上下部構成壁及び左右構成壁に複数の孔を設けて成るベンチレーション部12，13, 14を形成してあり、前記ベンチレーション部12，13を厚みが薄いスポンジ板S1，S2により閉蓋するようにしてある。なお、ベンチレーション部12，13をスポンジ板S1，S2, により閉蓋してあるのは空気以外の雪、ゴミ、塵等の飛来物がゴーグル内部に侵入しないようにするためである。
〔伸縮弾性バンド２について〕
伸縮弾性バンド２は、図２に示すように、上記連結部15に取り付けたバンド主体20, 20と、前記バンド主体20, 20の自由端相互を結合するバックル21とから構成されている。
〔シングルレンズ３について〕
シングルレンズ３は、合成樹脂板（セルロースプロピオネート、トリアセテート、ポリカーボネート等）で構成してあり、耐傷性に優れていると共に紫外線がほぼ完全にカットできるようにしてあり、更に内面には防曇処理を施してある。
【００１６】
また、このシングルレンズ３の左右両サイドには、図５に示すように、それぞれ比較的大きな通気孔30（L1：５ｍｍ，L2：１０ｍｍ程度）、切欠31, 32及び小円孔33, 33, 33を形成してある。
〔被覆部材４について〕
被覆部材４は、図１に示すように、パーツ本体4aと、このパーツ本体4aの凸側の外縁部分に形成したフランジ部4bとから成る正面視略三日月形状のものであり、前記フランジ部4bがシングルレンズ３と共に溝10に嵌め込まれる態様で装着されている。なお、この被覆部材４は、シングルレンズ３の表面形状に倣って取り付けることができるように柔軟性のある合成樹脂やゴム等により構成してある。
【００１７】
パーツ本体4aには、図５に示すように、通気孔30とほぼ同等の開口面積を有する孔40を形成してあると共に前記孔40をスポンジ板S3（課題を解決するためのフィルタに対応する）により内側から覆ってあり、また、シングルレンズ３への装着状態において上記した切欠31, 32に嵌まり込む凸部41, 42と、小円孔33, 33, 33に嵌まり込む軸部43, 43, 43とを具備させてある。
【００１８】
ここで、凸部41, 42を切欠31, 32に、軸部43, 43, 43を小円孔33, 33, 33に、それぞれ嵌め込んだ状態では、シングルレンズ３の左右両サイドの外縁ラインに対してフランジ部4bの凸側の外縁ラインがほぼ一致した状態になっている。したがって、シングルレンズ３だけを溝10に嵌め込むのと同じようにすれば、図６に示すように、フランジ部4bをシングルレンズ３の外縁と共に溝10に嵌め込むことができる。なお、被覆部材４は、凸部41, 42と切欠31, 32構成壁との係合、軸部43, 43, 43を小円孔33, 33, 33構成壁との係合によりシングルレンズ３に対して位置ずれするようなことがない。つまり、この実施形態では凸部41, 42、軸部43, 43, 43及び切欠31, 32、小円孔33, 33, 33により位置ズレ防止手段を構成しているのである。
〔このゴーグルＧの機能について〕
(1)  外気はスポンジ板S3で覆われた孔40を介して通気孔30からゴーグルＧ内に流入することとなるから、雪、ゴミ、塵等の飛来物がゴーグル内に侵入するようなことはない。
(2)  通気孔30は比較的大きく設定してあるから、ゴミ等が詰まって外気が流入しないような事態が生じることはない。よって、このゴーグルＧは防曇効果を確実に発揮する。
(3)  頬骨のあたりは最もゴーグルレンズ内面に近くなることから、従来のゴーグルでは、ゴーグルレンズにおける頬骨対応部において曇りが発生しやすかったが、この実施形態のゴーグルＧでは、頬骨付近とシングルレンズ３の内面との間に外気が十分に流入することからシングルレンズ３に曇りは発生しにくい。
(4)  通気孔30を覆う被覆部材４がシングルレンズ３の補強部材として機能し、通気孔30を形成した周囲に割れや切れが発生しにくい。
(5)  通気孔30を覆う被覆部材４は略三日月形状に形成してあり、図１に示す如くゴーグル枠１に沿って取り付けられるから、外観上ほとんど違和感がない。また、色が相違する被覆部材４を使用することにより、色彩豊かなゴーグルＧにすることができる。よって、比較的大きな通気孔30が存在するにもかかわらず、ゴーグルとしての見栄えが低下するようなことはない。
〔その他の実施形態について〕
なお、上記実施形態１のゴーグルでは、通気孔30をシングルレンズ３の左右両サイドに形成したものとしてあるが、これに限定されることなく、通気孔30は視界の邪魔にならなければシングルレンズ３のどの位置に設けてもよい。
【００１９】
また、上記実施形態１のゴーグルにおいて、シングルレンズが左右の二枚のレンズから構成されているものである場合には、それぞれのレンズの外側部分に通気孔が形成され、各通気孔は被覆部材４により覆われる。
【００２０】
【発明の効果】
この発明は上記のような構成であるから次の効果を有する。
【００２１】
発明の実施の形態の欄から明らかなように、（１）雪、ゴミ、塵等の飛来物の侵入を防ぎ、（２）防曇効果を確実に発揮し、（３）通気孔の存在によりゴーグルレンズに割れや切れが発生したり、見栄えが低下するようなことがないゴーグルを提供できた。
【図面の簡単な説明】
【図１】この発明の実施形態のゴーグルの斜視図。
【図２】前記ゴーグルの上面図。
【図３】前記ゴーグルの下面図。
【図４】図２のＡ−Ａ断面図。
【図５】前記ゴーグルのシングルレンズから被覆部材を取り外した状態を示す図。
【図６】図１のＢ−Ｂ断面図。
【符号の説明】
Ｇ        ゴーグル
S3        スポンジ板
１        ゴーグル枠
２        伸縮弾性バンド
３        シングルレンズ
４        被覆部材
30        通気孔
31        切欠
32        切欠
33        小円孔
40        孔
41        凸部
42        凸部
43        軸部
【図１】
0004446262.tif 000002
【図２】
0004446262.tif 000003
【図３】
0004446262.tif 000004
【図４】
0004446262.tif 000005
【図５】
0004446262.tif 000006
【図６】
0004446262.tif 000007